(57)【要約】【課題】外部から強い衝撃を受けた場合でも高い安定回転性能を維持できるポリゴンミラーモータを提供する。【解決手段】板状のモータベース１１、モータベース１１に対し軸受ユニット１２を介して回転自在に支持されるロータ部２、及びロータ部２に対して同心状態で固定されるポリゴンミラー３を有するポリゴンミラーモータである。モータベース１１には、ロータ部２の軸方向の移動を制限するストッパ４が設けられる。ストッパ４は、ロータ部２に隣接する位置でモータベース１１上に起立する支柱部４１と、支柱部４１の上端からロータ部２側に延びるアーム状の張出部４２とを有する。張出部４２は、その先端がロータ部２に近接して該ロータ部２の軸心上を覆っている。【選択図】図１
2009153263.tif 000002
【特許請求の範囲】
【請求項１】
板状のモータベースと、このモータベースに対し軸受ユニットを介して回転自在に支持されるロータ部と、このロータ部に対して同心状態で固定されるポリゴンミラーと、を有するポリゴンミラーモータにおいて、
前記モータベースに、前記ロータ部の軸方向の移動を制限するストッパが設けられると共に、
前記ストッパは、前記ポリゴンミラーの位置を超える高さを有して前記ロータ部に隣接する位置で前記モータベース上に起立する支柱部と、この支柱部の上端から前記ロータ部側に延びるアーム状の張出部とを有し、
前記張出部は、その先端が前記ロータ部に近接して該ロータ部の軸心上を覆っていることを特徴とするポリゴンミラーモータ。
【請求項２】
板状のモータベースと、このモータベースに対し軸受ユニットを介して回転自在に支持されるロータ部と、このロータ部に対して同心状態で固定されるポリゴンミラーと、を有するポリゴンミラーモータにおいて、
前記モータベースに、前記ロータ部の軸方向の移動を制限するストッパが設けられると共に、
前記ストッパは、前記ポリゴンミラーの位置を超える高さを有して前記ロータ部に隣接する位置で前記モータベース上に起立する支柱部と、この支柱部の上端から前記ロータ部側に延びるアーム状の張出部とを有し、
前記張出部は、その先端が前記ロータ部あるいは前記ポリゴンミラーに近接して少なくとも前記ロータ部の軸線を対称軸とする前記ロータ部あるいは前記ポリゴンミラーの上部２箇所を覆っていることを特徴とするポリゴンミラーモータ。
【請求項３】
前記ストッパの支柱部は、前記ポリゴンミラーの外接円に近接する扁平な板状であり、その幅方向一端縁を前記ポリゴンミラーの軸線に対する一垂線上に位置させた際に、前記支柱部の板面と前記一垂線とのなす角度が、前記一垂線を基準にして前記ポリゴンミラーの回転方向に対し０〜９０度に設定されていることを特徴とする請求項１、又は２記載のポリゴンミラーモータ。
【請求項４】
板状のモータベースと、このモータベースに対し軸受ユニットを介して回転自在に支持されるロータ部と、このロータ部に対して同心状態で固定されるポリゴンミラーと、を有するポリゴンミラーモータにおいて、
前記ロータ部は、前記ポリゴンミラーを支持する鍔部を有するロータハブと、磁性体から成るロータヨークとを有し、そのロータヨークは前記鍔部を挟んで前記ポリゴンミラーの底面に対向する上面部を有して前記ロータハブに同心状態で固定され、
前記モータベースには、前記ロータ部の軸方向の移動を制限するストッパが設けられ、そのストッパは、前記ロータ部に隣接して前記モータベース上に起立する支柱部と、この支柱部の上端から前記ポリゴンミラーと前記ロータヨークとの間に延びるアーム状の張出部とを有し、
前記張出部は、その先端が前記ロータヨークの上面部に近接して少なくとも前記ロータ部の軸線を対称軸とする前記ロータヨークの上面部２箇所を覆っていることを特徴とするポリゴンミラーモータ。
【発明の詳細な説明】
【技術分野】
【０００１】
本発明は、レーザビームプリンタ（以下、ＬＢＰと略称する）などに内蔵されてレーザビームを偏向走査するのに用いられるポリゴンミラーモータに係わり、特にポリゴンミラーに衝撃力が作用しても、その高速回転時の安定性能を維持することのできるポリゴンミラーモータに関する。
【背景技術】
【０００２】
近年、ＬＢＰの高速印刷や高精細化に対応して、レーザビームをより高速、高精度で走査させることが求められている。高精度なレーザ走査の基幹部分を担うのがポリゴンミラーモータであり、これは外周面が反射面とされる正多角形状の多面鏡（ポリゴンミラー）をもち、その各反射面で反射させたレーザビームが偏向用レンズを通して感光記録媒体に照射されるようになっている。
【０００３】
従って、ポリゴンミラーモータには、高速かつ安定した回転性能が要求される。又、精細で高品質のプリンタ出力を得るためには、ポリゴンミラーの反射面に汚損や傷がなく、これによるレーザビームの反射率が一定していることが必要となる。
【０００４】
ここに、係るポリゴンミラーモータとして、ロータ部の軸方向の移動を制限するべく、同モータを納めた光学ユニットシャーシに抜け止め板を設け、その抜け止め板をロータマグネットとポリゴンミラーとの間に位置付けたり、光学ユニットシャーシのカバーを回転軸の先端に近接させたりしているものが知られる（例えば、特許文献１）。
【０００５】
又、ポリゴンミラーの回転に伴う空気の流動を制限したり、風切音の発生を低減したりするため、ポリゴンミラーとその駆動部をカバー部材で覆い、そのカバー部材におけるレーザビームが通る部分にのみ窓を開けた構造のものが知られる（例えば、特許文献２）。
【０００６】
【特許文献１】特開平０７−１２３６７０号公報
【０００７】
【特許文献２】特開平１０−１４８７８４号公報
【発明の開示】
【発明が解決しようとする課題】
【０００８】
しかしながら、特許文献１に開示される抜け止め板は、ロータマグネットの外周上の一部分を覆っているだけなので、ポリゴンミラーやこれを組み込んだＬＢＰの輸送、設置に際し、ポリゴンミラーモータに軸方向から衝撃力が加わって抜け止め板にロータマグネットが衝突すると、ロータマグネットに抜け止め板への衝突による偏心荷重が作用し、その偏心荷重によってロータ部全体が抜け止め板の配置側に傾き、ロータ部の安定した回転性能が損なわれるようになる。
【０００９】
特に、ポリゴンミラーモータのように高速回転（３０，０００ｒｐｍ程度）されるモータでは、回転アンバランスを生ずると、回転時の振動や騒音が大きくなるばかりでなく、ポリゴンミラーによる走査性能を大きく悪化させてしまう。
【００１０】
又、特許文献１において、回転軸の先端に光学ユニットシャーシのカバーを近接させたものでは、ポリゴンミラーモータに軸方向から衝撃力が加わった場合、上述の抜け止め板の場合とは異なりロータ部に偏心荷重が作用することを防止できるものの、回転軸と樹脂カバーとの間には、ある程度の間隙を設けなければならない。
【００１１】
これは、回転軸に対する樹脂カバーの軸方向位置は、複数の部材が組み合わされた結果での位置となるため、各部材の寸法公差のばらつきを考慮した余裕を取る必要があるからである。しかし、これではロータ部が抜ける方向に飛び出し過ぎた場合、軸下端の周縁がラジアル軸受の摺動面に当たる可能性が高くなる。よって、回転軸とその押さえ機能を有する部材との間に複数の部材が介在する構造は望ましくない。
【００１２】
尚、ポリゴンミラーが高速回転すると、図８のようにポリゴンミラーＭの各反射面ｒにおける回転方向側に渦気流が発生し、当該箇所が空気中に含まれる塵埃によって徐々に汚損され、ひいては各反射面ｒの反射率が悪化するようになるが、特許文献１では渦気流に起因する反射面の汚損に対しての対策は講じられていない。
【００１３】
この点、特許文献２のようにレーザビームが通る光路の部分のみを開けて装置全体を小型のカバー部材で覆った構成にすれば、ポリゴンミラーの回転時にカバー部材内に塵埃が侵入するのを防止しながら風切音の発生を低減することができるが、このカバー部材はポリゴンミラー全体を覆うものであるから、構造や組み立て手順が複雑となり、モータ内部の点検や修理も容易に行えないという問題がある。
【００１４】
本発明は以上のような事情に鑑みて成されたものであり、その主たる目的は外部から強い衝撃を受けた場合でも高い安定回転性能を維持できる簡易構造のポリゴンミラーモータを提供することにある。
【課題を解決するための手段】
【００１５】
本発明は上記の目的を達成するため、
板状のモータベース１１と、このモータベース１１に対し軸受ユニット１２を介して回転自在に支持されるロータ部２と、このロータ部２に対して同心状態で固定されるポリゴンミラー３と、を有するポリゴンミラーモータにおいて、
モータベース１１に、ロータ部２の軸方向の移動を制限するストッパ４が設けられると共に、
ストッパ４は、ポリゴンミラー３の位置を超える高さを有してロータ部２に隣接する位置でモータベース１１上に起立する支柱部４１と、この支柱部４１の上端からロータ部２側に延びるアーム状の張出部４２とを有し、
張出部４２は、その先端がロータ部２に近接して該ロータ部２の軸心上を覆っていることを特徴とする。
【００１６】
又、板状のモータベース１１と、このモータベース１１に対し軸受ユニット１２を介して回転自在に支持されるロータ部２と、このロータ部２に対して同心状態で固定されるポリゴンミラー３と、を有するポリゴンミラーモータにおいて、
モータベース１１に、ロータ部２の軸方向の移動を制限するストッパ４が設けられると共に、
ストッパ４は、ポリゴンミラー３の位置を超える高さを有してロータ部２に隣接する位置でモータベース１１上に起立する支柱部４１と、この支柱部４１の上端からロータ部２側に延びるアーム状の張出部４２とを有し、
張出部４２は、その先端がロータ部２あるいはポリゴンミラー３に近接して少なくともロータ部２の軸線を対称軸とするロータ部２あるいはポリゴンミラー３の上部２箇所を覆っていることを特徴とする。
【００１７】
加えて、ストッパ４の支柱部４１は、ポリゴンミラー３の外接円に近接する扁平な板状であり、その幅方向一端縁をポリゴンミラー３の軸線に対する一垂線ｎ上に位置させた際に、支柱部４１の板面と一垂線ｎとのなす角度θが、一垂線ｎを基準にしてポリゴンミラー３の回転方向に対し０〜９０度に設定されていることを特徴とする。
【００１８】
更に、板状のモータベース１１と、このモータベース１１に対し軸受ユニット１２を介して回転自在に支持されるロータ部２と、このロータ部２に対して同心状態で固定されるポリゴンミラー３と、を有するポリゴンミラーモータにおいて、
ロータ部２は、ポリゴンミラー３を支持する鍔部２２Ａを有するロータハブ２２と、磁性体から成るロータヨーク２３とを有し、そのロータヨーク２３は鍔部２２Ａを挟んでポリゴンミラー３の底面に対向する上面部２３Ａを有してロータハブ２２に同心状態で固定され、
モータベース１１には、ロータ部２の軸方向の移動を制限するストッパ４が設けられ、そのストッパ４は、ロータ部２に隣接してモータベース１１上に起立する支柱部４１と、この支柱部４１の上端からポリゴンミラー３とロータヨーク２３との間に延びるアーム状の張出部４２とを有し、
張出部４２は、その先端がロータヨーク２３の上面部２３Ａに近接して少なくともロータ部２の軸線を対称軸とするロータヨーク２３の上面部２３Ａの２箇所を覆っていることを特徴とする。
【発明の効果】
【００１９】
本発明によれば、ロータ部の軸方向の移動を制限するストッパがモータベースに設けられることから、ストッパとモータベースを別体として容易に成形することができる。
【００２０】
特に、ストッパは、ポリゴンミラーの位置を超える高さを有してロータ部に隣接する位置でモータベース上に起立する支柱部と、この支柱部の上端からロータ部側に延びるアーム状の張出部とを有して成ることから、係るストッパでロータ部全体が覆われず、モータ内部の点検や修理に際してストッパが邪魔にならない。
【００２１】
又、張出部の先端が、ロータ部の軸心上か、その軸線を対称軸とするロータ部あるいはポリゴンミラーの上部２箇所を覆っていることから、ロータ部が軸方向の衝撃力を受けたときでも、ロータ部やこれに固定されるポリゴンミラーには張出部への衝突による偏心荷重が作用しない。このため、ロータ部やポリゴンミラーの安定回転性能を維持することができる。
【００２２】
加えて、ストッパの支柱部がポリゴンミラーの外接円に近接する扁平な板状とされ、その幅方向一端縁をポリゴンミラーの軸線に対する一垂線上に位置させた際に、支柱部の板面と前記一垂線とのなす角度が、その一垂線を基準にしてポリゴンミラーの回転方向に対し０〜９０度に設定されていることから、ポリゴンミラーの回転方向に生ずる気流に対して支柱部が大きな空気抵抗とならず、ポリゴンミラーの回転時における風切音が支柱部により増大することを防止できる。しかも、ポリゴンミラーの稜角が支柱部の位置を通過するとき、その支柱部が稜角の後方に連なる反射面の回転方向上流部分を覆って当該箇所への空気の流入をブロックするようになるので、反射面の回転方向上流部分における渦気流の発生が抑制され、ひいては空気中の塵埃による反射面の汚損を抑制することができる。
【００２３】
又、その他の態様として、張出部の先端がロータヨークの上面部に近接して少なくともロータ部の軸線を対称軸とするロータヨークの上面部２箇所を覆っている構成でも、ロータ部が軸方向の衝撃力を受けたときに、ロータ部に張出部への衝突による偏心荷重が作用するのを防止して、その安定回転性能を維持することができる。
【発明を実施するための最良の形態】
【００２４】
以下、図面に基づいて本発明に係るポリゴンミラーモータ（走査用モータ）の構成を詳しく説明する。
【実施例１】
【００２５】
図１は、本発明に係るポリゴンミラーモータの第１実施例を示した縦断面図である。同モータはＬＢＰなどで使用される走査装置を構成するものであり、その形態はステータ部１（固定子）の外側にロータ部２（回転子）が設けられるアウタロータ型（インナロータ型とすることも可）とされる。
【００２６】
本例において、ステータ部１は、ＬＢＰなどの装置内に固定される板状のモータベース１１、及びモータベース１１に固定される軸受ユニット１２などから構成される。又、軸受ユニット１２は、モータベース１１に貫通状態で固定される軸受ケーシング１２Ａ、及び軸受ケーシング１２Ａ内に嵌め込まれる円筒状の軸受１２Ｂなどから構成される。
【００２７】
軸受ケーシング１２Ａの外周部には、ステータコア１３が嵌着固定され、そのステータコア１３には駆動電流（電機子電流）が流されるステータコイル１４が巻回される。
【００２８】
又、軸受１２Ｂは、無給油メタルから成る流体軸受（ラジアル軸受）であり、その内部には回転軸２１が通され、該軸受１２Ｂの内周面と回転軸２１の外周面との間には動圧を発生する潤滑油が充填される。
【００２９】
そして、回転軸２１に作用するラジアル荷重を軸受１２Ｂが受け、回転軸２１に作用するスラスト荷重が軸受ケーシング１２Ａの底面上に配置される受座１２Ｃにより支持されるようにしてある。尚、軸受１２Ｂはその他のすべり軸受や転がり軸受に代えることもできる。
【００３０】
一方、ロータ部２は、軸受ユニット１２により回転自在に支持される回転軸２１、該回転軸２１の先端部に固着されるロータハブ２２、及びロータハブ２２に一体的に固定されるロータヨーク２３などから構成される。このうち、回転軸２１は、軸方向に移動可能な状態で軸受１２Ｂ内に挿入されている。又、ロータヨーク２３は磁性体から成るもので、その形態はロータハブ２２に固着される上面部２３Ａと該上面部の周縁より垂下する環状胴部２３Ｂとを有する断面凹字形とされる。そして、環状胴部２３Ｂの内面には、ステータコア１３に対向する位置で、回転力を発生するのに必要な磁束（界磁束）を発生する界磁マグネット２４が固着される。
【００３１】
特に、ロータ部２を構成するロータハブ２２は、鍔部２２Ａを有してポリゴンミラー３を支持しており、そのポリゴンミラー３が回転軸２１に取り付けられるクランプ板２５により鍔部２２Ａに押し付けられている。しかして、ロータ部２に対してポリゴンミラー３が同心状態で固定され、該ポリゴンミラー３の底面とロータヨーク２３の上面部２３Ａとが鍔部２２Ａを挟んで対向するようになっている。
【００３２】
尚、ポリゴンミラー３は、高速回転されつつ図示せぬ半導体レーザなどの光源から照射されるレーザビームを偏向反射させ、これを図示せぬ回転ドラム上の感光体に結像させて静電潜像を形成するためのもので、当該ポリゴンミラー３の外周端面は、レーザビームを上記回転ドラムに向けて偏向反射させるための反射面３１とされる。
【００３３】
ここに、モータベース１１には、ロータ部２の軸方向における抜け方向の移動を制限するストッパ４が設けられる。係るストッパ４は、金属板を屈曲するなどして形成されるもので、モータベース１１とは別体としてモータベース１１にビスなどにて着脱可能に固設される。又、ストッパ４は、モータベース１１に、レーザビームの光路を塞がぬようにして固定されている。
【００３４】
特に、本例のストッパ４は、ポリゴンミラー３の位置を越える高さを有してロータ部２に隣接する位置でモータベース１１上に起立する支柱部４１と、該支柱部４１の上端からロータ部２側に延びるアーム状の張出部４２と、を有しており、その張出部４２の先端がロータ部２（回転軸２１の上端）に近接してその軸心上を覆うようにしてある。尚、本例では、回転軸２１がロータハブ２２上に貫通されている関係で、張出部４２の先端が回転軸２１の上端を近接状態で覆うようになっているが、回転軸２１の上端がロータハブ２２上に突出しない態様では、張出部４２の先端がロータハブ２２の上面に近接してその軸心上（回転軸２１の延長線上）を覆うことになる。
【００３５】
このようなストッパ４をもつポリゴンミラーモータによれば、ロータ部２が衝撃力を受けて軸方向に移動しようとしても同方向への移動は張出部４２により制限され、しかもロータ部２の軸心（回転軸２１の上端）が張出部４２に衝突することにより、ロータ部２には偏心荷重が作用しない。このため、ロータ部２および該ロータ部に固定されるポリゴンミラー３の安定回転性能を維持することができる。又、ストッパ４は、点検、修理に際しても作業障害にならない。
【００３６】
特に、図２から明らかなように、ストッパ４の支柱部４１はポリゴンミラー３の外接円Ｃに近接する板状とされている。そして、支柱部４１はその幅方向一端縁４１Ａをポリゴンミラー３の軸線（ロータ部２の軸線と同じ回転軸２１の中心線）に対する一垂線ｎ上に位置させた際に、この支柱部４１の板面４１Ｂと一垂線ｎとのなす角度θが、一垂線ｎを基準にしてポリゴンミラー３の回転方向に対し９０度になるよう設定されている。
【００３７】
これによれば、ポリゴンミラー３の周囲において、ポリゴンミラー３の回転方向に生ずる気流に対し、支柱部が大きな空気抵抗とならないので、ポリゴンミラー３の回転時における風切音が支柱部４１により増大することがなく、しかも図３のようにポリゴンミラー３の稜角３２が支柱部４１の位置を通過するとき、その支柱部４１が稜角３２の後方に連なる反射面３１の回転方向上流部分（図３において符号３１Ａで示される部分）を覆って当該箇所への空気の流入をブロックするようになるので、反射面３１の回転方向上流部分３１Ａにおける渦気流の発生が抑制され、ひいては空気中の塵埃による反射面３１の汚損を抑制することができる。
【００３８】
尚、このような渦気流抑制作用は、支柱部４１がポリゴンミラー３の外接円Ｃに近いほど顕著であるが、支柱部４１の一端縁４１Ａとポリゴンミラー３の外接円Ｃとの間隔Ｇをポリゴンミラー３の厚みｔ（図１参照）の２倍以下にすると、渦気流の発生に対する良好な抑制効果を得られる。本例では、その間隔Ｇをポリゴンミラー３の厚みｔ（２ｍｍ）の半分の１ｍｍとしてある。ここに、図２及び図３において、点線矢印はポリゴンミラー３の回転により発生する気流の動きをあらわしている。
【００３９】
又、本例において、ポリゴンミラー３は、図２及び図３に示されるように６つの反射面をもつ正６角形とされるが、これを正方形あるいは正５角形とするなどしてもよい。
【００４０】
更に、上記の角度θはポリゴンミラー３の回転方向に対して９０度とされることに限らず、０〜９０度の範囲で変更してもよい。図４は角度θを０度、つまり支柱部４１をその幅方向が垂線ｎ上に合致するよう配置した例であり、この場合でもポリゴンミラー３の回転方向に生ずる気流に対し、支柱部４１が大きな空気抵抗とならないので、ポリゴンミラー３の回転時における風切音が支柱部４１により増大することがなく、しかもポリゴンミラー３の稜角３２が支柱部３１の位置を通過するとき、その支柱部４１が稜角３２の後方に連なる反射面３１の回転方向上流部分を覆って当該箇所への空気の流入をブロックするようになるので、反射面３１の回転方向上流部分における渦気流の発生が抑制され、ひいては空気中の塵埃による反射面３１の汚損を抑制することができる。
【実施例２】
【００４１】
次に、図５は本発明の第２実施例を示す。尚、第１実施例と共通する部分には同一符号を付して詳細な説明を省略する。ここに、図５はロータ部２の軸線（回転軸２１）を対称軸とするロータ部２の上部２箇所が張出部４２の先端で覆われるようにした例であり、当該張出部４２の先端はロータ部２に接触せずしてロータ部２を構成するクランプ板２５の上面に近接されている。
【００４２】
図６から明らかなように、本例では張出部４２の先端が二股状に分岐され、その両分岐片４２Ａ，４２Ａが回転軸２１を挟んでクランプ板２５の相対する２箇所を近接状態で覆っている。尚、張出部４２の先端を二股状に分岐せず、同先端に回転軸２１を通す穴を開けて回転軸２１の周辺がその全周に亘って張出部４２の先端で覆われるようにしてもよく、要は張出部４２の先端が、ロータ部２やポリゴンミラー３に近接しながら、回転軸２１に関して対称となるロータ部２の少なくとも上部２箇所、あるいはポリゴンミラー３の上部２箇所を覆う構成とされていればよい。
【００４３】
そして、このような構成でも、第１実施例と同じく、ロータ部２が衝撃力を受けて軸方向に移動しようとしても同方向への移動は張出部４２により制限され、しかもロータ部２に偏心荷重が作用するのを防止できるので、ロータ部２および該ロータ部２に固定されるポリゴンミラー３の安定回転性能を維持することができる。
【００４４】
又、支柱部４１の形態及びその角度を第１実施例と同様にすることで、ポリゴンミラー３の回転時における風切音を支柱部４１により増大せずして、反射面３１の汚損を抑制することができる。
【実施例３】
【００４５】
次に、図７は本発明の第３実施例として、張出部４２の先端をロータヨーク２３の上面部２３Ａに近接させた態様を示す。図７から明らかなように、本例では支柱部４１の高さがポリゴンミラー３の位置よりも低く設定され、張出部４２は支柱部４１の上端からポリゴンミラー３とロータヨーク２３との間に延ばされる。そして、張出部４２の先端はロータヨーク２３の上面部２３Ａに近接してロータ部２の軸線（回転軸２１）を対称軸とする該ロータヨーク２３の上面部２３Ａの２箇所を覆っている。
【００４６】
尚、本例でも張出部４２の先端が第２実施例と同じく二股状に分岐されが、同先端にロータヨーク２３の上面部２３Ａより小さく鍔部２２Ａより大きい穴を開けてロータヨーク２３の上面部２３Ａがその全周に亘って張出部４２の先端で覆われるようにしてもよく、要は張出部４２の先端が、ロータヨーク２３の上面部２３Ａに近接しながら、回転軸２１に関して対称となる少なくとも上面部２３Ａの２箇所を覆う構成とされていればよい。
【００４７】
そして、このような構成でも、第１実施例と同じく、ロータ部２が衝撃力を受けて軸方向に移動しようとしても同方向への移動は張出部４２により制限され、しかもロータ部２に偏心荷重が作用するのを防止できるので、ロータ部２および該ロータ部２に固定されるポリゴンミラー３の安定回転性能を維持することができる。尚、第３実施例では、支柱部４１がポリゴンミラー３に隣接しないので、その形態や配置角度は如何様でもよい。
【図面の簡単な説明】
【００４８】
【図１】本発明に係るポリゴンミラーモータを示す縦断面図
【図２】ポリゴンミラーとストッパの相対位置関係を示す説明図
【図３】ポリゴンミラーの回転により生ずる気流の動きを示す説明図
【図４】ストッパの変更例を示す説明図
【図５】本発明に係るポリゴンミラーモータの他の実施態様を示す側面図
【図６】図５に示したモータの平面概略図
【図７】本発明に係るポリゴンミラーモータの他の実施態様を示す側面図
【図８】従来モータにおける渦気流の発生状況を示す説明図
【符号の説明】
【００４９】
１  ステータ部
１１  モータベース
１２  軸受ユニット
２  ロータ部
２１  回転軸
２２  ロータハブ
２２Ａ  鍔部
２３  ロータヨーク
２３Ａ  上面部
３  ポリゴンミラー
３１  反射面
４  ストッパ
４１  支柱部
４１Ａ  支柱部の幅方向一端縁
４１Ｂ  支柱部の板面
４２  張出部
【図１】
2009153263.tif 000003
【図２】
2009153263.tif 000004
【図３】
2009153263.tif 000005
【図４】
2009153263.tif 000006
【図５】
2009153263.tif 000007
【図６】
2009153263.tif 000008
【図７】
2009153263.tif 000009
【図８】
2009153263.tif 000010